(57)【要約】  【課題】  通信ネットワークを介して複数の使用者がデータを共同で使用することができるデータ提供システム、データ提供装置、及びデータ受信装置を提供する。  【解決手段】  データを記憶しているデータ提供装置１に、通信ネットワークＮを介して多数の画像記録装置２，２，…が接続されている。データ提供装置１は、登録された使用者の携帯受信装置３へ、データの概要を示す概要情報、及びデータの識別情報を送信する。携帯受信装置３は、受信した識別情報を２次元バーコードとして出力し、画像記録装置２は、２次元バーコードの識別情報を読み取る。画像記録装置２は、読み取った識別情報に係るデータの送信をデータ提供装置１に要求し、通信ネットワークＮを介してデータをデータ提供装置１から受信し、受信したデータを画像として記録する。【選択図】        図１
2005085050.tif 000002
【特許請求の範囲】
【請求項１】
データを記憶する手段を備えるデータ提供装置と、通信ネットワークを介して該データ提供装置に接続されたデータ受信装置と、前記データ提供装置から情報を受信する携帯受信装置とを備えるデータ提供システムにおいて、
前記データ提供装置は、
記憶するデータに前記携帯受信装置を関連づける関連づけ手段と、
データの概要を示す概要情報を、該データに関連づけられた前記携帯受信装置へ送信する手段と、
前記概要情報に係るデータの送信要求を受信する手段と、
前記データ受信装置へ、前記送信要求に係るデータを送信するデータ送信手段と
を備えることを特徴とするデータ提供システム。
【請求項２】
前記データ提供装置は、更に、
データの識別情報を、該データに係る概要情報に対応させて、該データに関連づけられた前記携帯受信装置へ送信する識別情報送信手段を備え、
前記携帯受信装置は、
受信した一又は複数の概要情報の中から、特定の概要情報を選択する手段と、
選択した概要情報に対応した識別情報を、前記データ受信装置へ伝達する伝達手段と
を備え、
前記データ受信装置は、
前記携帯受信装置から前記識別情報を受け付ける受付手段と、
受け付けた前記識別情報が示すデータの送信要求を、前記データ提供装置へ送信する手段と
を備え、
前記データ送信手段は、受信した送信要求の送信元の前記データ提供装置へ、前記送信要求に係るデータを送信すべくなしてあることを特徴とする請求項１に記載のデータ提供システム。
【請求項３】
前記識別情報送信手段は、データの識別情報を、２次元バーコードの画像データの形式で送信すべくなしてあり、
前記携帯受信装置は、
画像を出力する出力手段を更に備え、
前記伝達手段は、画像データの形式で受信した識別情報を、２次元バーコードとして前記出力手段にて出力すべくなしてあり、
前記受付手段は、前記２次元バーコードを読み取るべくなしてあることを特徴とする請求項２に記載のデータ提供システム。
【請求項４】
前記関連づけ手段は、一のデータに、複数の前記携帯受信装置を関連づけることが可能になしてあることを特徴とする請求項１乃至３のいずれかひとつに記載のデータ提供システム。
【請求項５】
前記データ提供装置は、更に、
一又は複数の前記携帯受信装置の夫々について、前記関連づけ手段によって関連づけられるべきデータの条件を記憶する手段を備え、
前記関連づけ手段は、
記憶するデータの内容が前記条件に適合する一又は複数の前記携帯受信装置を、該データに関連づけるべくなしてあることを特徴とする請求項４に記載のデータ提供システム。
【請求項６】
前記データ提供装置は、更に、
データを入出力する一又は複数の入出力装置を備えることを特徴とする請求項１乃至５のいずれかひとつに記載のデータ提供システム。
【請求項７】
複数の前記データ受信装置が、通信ネットワークを介して前記データ提供装置に接続されてあることを特徴とする請求項１乃至６のいずれかひとつに記載のデータ提供システム。
【請求項８】
前記データ受信装置は、更に、受信したデータを画像として記録担体に記録する手段を備えることを特徴とする請求項１乃至７のいずれかひとつに記載のデータ提供システム。
【請求項９】
前記データ提供装置は、更に、
画像として記録されて使用されるべき付加データを記憶する手段を備え、
前記データ送信手段は、更に、
前記データ受信装置へ前記送信要求に係るデータを送信する際に、該データに係る前記付加データを、前記データ受信装置へ送信する手段を備えることを特徴とする請求項８に記載のデータ提供システム。
【請求項１０】
データを記憶する手段を備えるデータ提供装置において、
記憶するデータに他の装置を関連づける関連づけ手段と、
データの概要を示す概要情報を、該データに関連づけられた他の装置へ送信する手段と、
前記概要情報に係るデータの送信要求を外部から受信する受信手段と、
更に他の装置へ、前記送信要求に係るデータを送信するデータ送信手段と
を備えることを特徴とするデータ提供装置。
【請求項１１】
データの識別情報を、該データに係る概要情報に対応させて、該データに関連づけられた他の装置へ送信する識別情報送信手段を更に備え、
前記受信手段は、
前記識別情報が示すデータの送信要求を、更に他の装置から受信すべくなしてあり、
前記データ送信手段は、
前記送信要求の送信元の前記装置へ、前記送信要求に係るデータを送信すべくなしてあることを特徴とする請求項１０に記載のデータ提供装置。
【請求項１２】
前記識別情報送信手段は、
データの識別情報を、２次元バーコードの画像データの形式で送信すべくなしてあることを特徴とする請求項１１に記載のデータ提供装置。
【請求項１３】
一又は複数の他の装置の夫々について、前記関連づけ手段によって関連づけられるべきデータの条件を記憶する手段を更に備え、
前記関連づけ手段は、
記憶するデータの内容が前記条件に適合する一又は複数の他の装置を、該データに関連づけるべくなしてあることを特徴とする請求項１０乃至１２のいずれかひとつに記載のデータ提供装置。
【請求項１４】
画像として記録されて使用されるべき付加データを記憶する手段を更に備え、
前記データ送信手段は、更に、
他の装置へ前記送信要求に係るデータを送信する際に、該データに係る前記付加データを、前記装置へ送信する手段を備えることを特徴とする請求項１０乃至１３のいずれかひとつに記載のデータ提供装置。
【請求項１５】
通信ネットワークを介して外部の第１の装置に接続されたデータ受信装置において、
外部の第２の装置から、前記第１の装置が記憶するデータの識別情報を受け付ける受付手段と、
受け付けた前記識別情報が示すデータの送信要求を、前記第１の装置へ送信する手段と、
送信した前記送信要求に係るデータを、前記第１の装置から受信する手段と
を備えることを特徴とするデータ受信装置。
【請求項１６】
前記受付手段は、２次元バーコードで表現された前記識別情報を読み取るべくなしてあることを特徴とする請求項１５に記載のデータ受信装置。
【請求項１７】
受信したデータを画像として記録担体に記録する手段を更に備えることを特徴とする請求項１５又は１６に記載のデータ受信装置。
【発明の詳細な説明】
【技術分野】
【０００１】
本発明は、使用者が必要とするデータを、コンビニエンスストア等の市中に設置してあるデータ受信装置を用いて提供することができるデータ提供システム、データ提供装置、及びデータ受信装置に関する。
【背景技術】
【０００２】
特許文献１では、用紙に記録された画像を走査して画像データとして取り込み、取り込んだ画像データに基づいて画像を形成して記録担体に記録するコピー機能に加えて、通信回線を介して画像データを他の装置へ送信するファクシミリ機能を備えた画像記録装置が開示されている。このように、画像記録装置はデジタル化が進んでおり、コピー機能に加えて画像データを外部から受信して画像を記録するプリンタ機能、及びファクシミリ機能など、多数の機能を備える機能複合型の画像記録装置が実用化されている。このような画像記録装置は、現在、コンビニエンスストア、文房具店、又はスーパーマーケット等、市中の不特定多数の場所に設置されており、一般の多数の使用者が、コピー又はファクシミリ等のサービスを受けることができるようになっている。
【０００３】
画像記録装置を用いた更に一歩進んだサービスとして、インターネット等の広域の通信ネットワークを利用したネットワークプリントの技術が知られている。この技術では、使用者のパーソナルコンピュータ（ＰＣ）から通信ネットワークに接続されたサーバ装置へ画像データを送信して登録しておき、使用者の出先に設置してある画像記録装置が、サーバ装置から通信ネットワークを介して画像データを取得して画像を記録する。この技術により、取引先を訪問するために移動するビジネスマン等の、居場所が不特定である使用者が、取引書類などの画像の記録物を、市中の画像記録装置を利用して必要なときに取得することができるようになる。
【０００４】
また、特許文献２に開示された技術では、現在広く普及している携帯電話などの携帯受信装置を利用したネットワークプリントの技術が開示されている。この技術では、携帯受信装置宛に送信される画像データをサーバ装置が記憶しておき、サーバ装置は、携帯受信装置からの要求に従って画像データを携帯受信装置へ送信し、携帯受信装置は、サーバ装置から受信した画像データを最寄りの画像記録装置へ転送し、画像記録装置は、転送された画像データから画像を記録する。この技術により、居場所が不特定である使用者に対して画像データを送信することが可能となり、この使用者は、送信された画像データを適切なときに市中の画像記録装置へ転送して画像の記録物を容易に入手することができる。
【特許文献１】特開昭６４−５７８６８号公報
【特許文献２】特開２００２−２１８１５４号公報
【発明の開示】
【発明が解決しようとする課題】
【０００５】
前述のネットワークプリントの技術では、取得できる画像データを使用者が予めサーバ装置に登録しておく必要があり、また、特許文献２に開示された技術では、使用者の携帯受信装置宛に送信された画像データを扱うことができるのみである。従って、従来のネットワークプリントの技術では、求人のデータ、又は商品の在庫状況のデータ等、複数の者が参照して有効利用すべきデータを、複数の者が共同で使用することができないという問題がある。また、同様に、時間の経過に伴って内容が変化するデータを扱うことが困難であるという問題がある。
【０００６】
本発明は、斯かる事情に鑑みてなされたものであって、その目的とするところは、サーバ装置であるデータ提供装置にデータを記憶し、データについて登録してある複数の携帯受信装置からデータの参照を可能とし、通信ネットワークを介して画像記録装置であるデータ受信装置にてデータを出力することにより、通信ネットワークを介して複数の使用者がデータを共同で使用することができるデータ提供システム、データ提供装置、及びデータ受信装置を提供することにある。
【課題を解決するための手段】
【０００７】
本発明に係るデータ提供システムは、データを記憶する手段を備えるデータ提供装置と、通信ネットワークを介して該データ提供装置に接続されたデータ受信装置と、前記データ提供装置から情報を受信する携帯受信装置とを備えるデータ提供システムにおいて、前記データ提供装置は、記憶するデータに前記携帯受信装置を関連づける関連づけ手段と、データの概要を示す概要情報を、該データに関連づけられた前記携帯受信装置へ送信する手段と、前記概要情報に係るデータの送信要求を受信する手段と、前記データ受信装置へ、前記送信要求に係るデータを送信するデータ送信手段とを備えることを特徴とする。
【０００８】
本発明に係るデータ提供システムは、前記データ提供装置は、更に、データの識別情報を、該データに係る概要情報に対応させて、該データに関連づけられた前記携帯受信装置へ送信する識別情報送信手段を備え、前記携帯受信装置は、受信した一又は複数の概要情報の中から、特定の概要情報を選択する手段と、選択した概要情報に対応した識別情報を、前記データ受信装置へ伝達する伝達手段とを備え、前記データ受信装置は、前記携帯受信装置から前記識別情報を受け付ける受付手段と、受け付けた前記識別情報が示すデータの送信要求を、前記データ提供装置へ送信する手段とを備え、前記データ送信手段は、受信した送信要求の送信元の前記データ提供装置へ、前記送信要求に係るデータを送信すべくなしてあることを特徴とする。
【０００９】
本発明に係るデータ提供システムは、前記識別情報送信手段は、データの識別情報を、２次元バーコードの画像データの形式で送信すべくなしてあり、前記携帯受信装置は、画像を出力する出力手段を更に備え、前記伝達手段は、画像データの形式で受信した識別情報を、２次元バーコードとして前記出力手段にて出力すべくなしてあり、前記受付手段は、前記２次元バーコードを読み取るべくなしてあることを特徴とする。
【００１０】
本発明に係るデータ提供システムは、前記関連づけ手段は、一のデータに、複数の前記携帯受信装置を関連づけることが可能になしてあることを特徴とする。
【００１１】
本発明に係るデータ提供システムは、前記データ提供装置は、更に、一又は複数の前記携帯受信装置の夫々について、前記関連づけ手段によって関連づけられるべきデータの条件を記憶する手段を備え、前記関連づけ手段は、記憶するデータの内容が前記条件に適合する一又は複数の前記携帯受信装置を、該データに関連づけるべくなしてあることを特徴とする。
【００１２】
本発明に係るデータ提供システムは、前記データ提供装置は、更に、データを入出力する一又は複数の入出力装置を備えることを特徴とする。
【００１３】
本発明に係るデータ提供システムは、複数の前記データ受信装置が、通信ネットワークを介して前記データ提供装置に接続されてあることを特徴とする。
【００１４】
本発明に係るデータ提供システムは、前記データ受信装置は、更に、受信したデータを画像として記録担体に記録する手段を備えることを特徴とする。
【００１５】
本発明に係るデータ提供システムは、前記データ提供装置は、更に、画像として記録されて使用されるべき付加データを記憶する手段を備え、前記データ送信手段は、更に、前記データ受信装置へ前記送信要求に係るデータを送信する際に、該データに係る前記付加データを、前記データ受信装置へ送信する手段を備えることを特徴とする。
【００１６】
本発明に係るデータ提供装置は、データを記憶する手段を備えるデータ提供装置において、記憶するデータに他の装置を関連づける関連づけ手段と、データの概要を示す概要情報を、該データに関連づけられた他の装置へ送信する手段と、前記概要情報に係るデータの送信要求を外部から受信する受信手段と、更に他の装置へ、前記送信要求に係るデータを送信するデータ送信手段とを備えることを特徴とする。
【００１７】
本発明に係るデータ提供装置は、データの識別情報を、該データに係る概要情報に対応させて、該データに関連づけられた他の装置へ送信する識別情報送信手段を更に備え、前記受信手段は、前記識別情報が示すデータの送信要求を、更に他の装置から受信すべくなしてあり、前記データ送信手段は、前記送信要求の送信元の前記装置へ、前記送信要求に係るデータを送信すべくなしてあることを特徴とする。
【００１８】
本発明に係るデータ提供装置は、前記識別情報送信手段は、データの識別情報を、２次元バーコードの画像データの形式で送信すべくなしてあることを特徴とする。
【００１９】
本発明に係るデータ提供装置は、一又は複数の他の装置の夫々について、前記関連づけ手段によって関連づけられるべきデータの条件を記憶する手段を更に備え、前記関連づけ手段は、記憶するデータの内容が前記条件に適合する一又は複数の他の装置を、該データに関連づけるべくなしてあることを特徴とする。
【００２０】
本発明に係るデータ提供装置は、画像として記録されて使用されるべき付加データを記憶する手段を更に備え、前記データ送信手段は、更に、他の装置へ前記送信要求に係るデータを送信する際に、該データに係る前記付加データを、前記装置へ送信する手段を備えることを特徴とする。
【００２１】
本発明に係るデータ受信装置は、通信ネットワークを介して外部の第１の装置に接続されたデータ受信装置において、外部の第２の装置から、前記第１の装置が記憶するデータの識別情報を受け付ける受付手段と、受け付けた前記識別情報が示すデータの送信要求を、前記第１の装置へ送信する手段と、送信した前記送信要求に係るデータを、前記第１の装置から受信する手段とを備えることを特徴とする。
【００２２】
本発明に係るデータ受信装置は、前記受付手段は、２次元バーコードで表現された前記識別情報を読み取るべくなしてあることを特徴とする。
【００２３】
本発明に係るデータ受信装置は、受信したデータを画像として記録担体に記録する手段を更に備えることを特徴とする。
【００２４】
本発明においては、データを記憶するデータ提供装置と、データ提供装置に通信ネットワークを介して接続されたデータ受信装置と、使用者が携帯している携帯受信装置とを用い、データ提供装置は、データに関連づけられた携帯受信装置へ、データの概要情報を送信し、データ受信装置からデータの要求を受信して、データを送信する。
【００２５】
また、本発明においては、データ提供装置は、データの概要情報と共に、データの識別情報を携帯受信装置へ送信し、使用者は、携帯受信装置で概要情報を閲覧して、取得すべきデータの概要情報を選択し、選択した概要情報に対応した識別情報を、データ受信装置へ携帯受信装置から伝達する。データ受信装置は、伝達された識別情報に係るデータをデータ提供装置へ要求し、データ提供装置は、要求されたデータをデータ受信装置へ送信する。
【００２６】
また、本発明においては、データ提供装置は、識別情報を２次元バーコードの形式で送信し、携帯受信装置は、表示手段などを用いて２次元バーコードを出力し、データ受信装置は、携帯受信装置が出力した２次元バーコードを読み取ることで識別情報を受け付ける。
【００２７】
また、本発明においては、一のデータに複数の携帯受信装置を関連づけることが可能となっている。
【００２８】
また、本発明においては、データ提供装置は、データに携帯受信装置を関連づけるためのデータの条件を各携帯受信装置について記憶しておき、データの内容に応じて、条件の合う携帯受信装置を関連づける。
【００２９】
また、本発明においては、データ提供装置は、情報を入出力する入出力装置を備える。
【００３０】
また、本発明においては、データ提供装置には、通信ネットワークを介して複数のデータ受信装置が接続されている。
【００３１】
また、本発明においては、データ受信装置は、受信したデータを画像として紙などの記録担体に記録する手段を備える。
【００３２】
更に、本発明においては、データ提供装置は、データに付加された付加データを記憶しておき、データと共に付加データが提供される。
【発明の効果】
【００３３】
本発明においては、データ提供装置は、記憶するデータに携帯受信装置を関連づけておき、関連づけられた携帯受信装置へデータの概要情報を送信し、データ受信装置からデータの要求を受け付けて、要求されたデータをデータ受信装置へ送信する。使用者が使用している携帯受信装置へデータの概要情報が送信されるため、使用者は、時間の経過に伴って内容が変化するデータの状態を常に把握することができる。また、携帯受信装置へ送信される情報は概要情報であって、データの本体はデータ受信装置へ送信されるため、携帯受信装置に通信の負担を掛けることがない。
【００３４】
また、本発明においては、データ提供装置は、概要情報に対応してデータの識別情報を携帯受信装置へ送信し、携帯受信装置は、特定の概要情報について識別情報をデータ受信装置へ伝達し、データ受信装置は、識別情報に係るデータを要求する。使用者は、概要情報を閲覧し、必要なデータのみを選択して要求することができるため、効率的にデータを使用することができる。
【００３５】
また、本発明においては、携帯受信装置が出力した２次元バーコードをデータ受信装置が読み取ることで、携帯受信装置からデータ受信装置へ識別情報を伝達するため、携帯受信装置とデータ受信装置とを接続する方法などに比べて、容易に識別情報を伝達することができる。
【００３６】
また、本発明においては、一のデータに複数の携帯受信装置を関連づけることが可能であるため、複数の者が参照して有効利用すべきデータを、複数の者が共同で使用することができる。
【００３７】
また、本発明においては、携帯受信装置について関連づけられるデータの条件を記憶しておき、条件に合うデータの概要情報が携帯受信装置へ送信されるため、使用者は、不必要な情報を最初から排除して有用なデータについてのみ概要情報を受け取ることが可能となり、効率的にデータの利用が行われる。
【００３８】
また、本発明においては、データ提供装置は、データを入出力する入出力装置を備えているため、データ提供装置から直接にデータの閲覧が可能となり、また、必要に応じたデータの更新が可能となる。
【００３９】
また、本発明においては、データ提供装置に対して通信ネットワークを介して複数のデータ受信装置が接続されているため、使用者が利用できるデータ受信装置の数が多く、使用者がデータを使用できる場所が限定されず、データを使用する際の利便性が向上する。
【００４０】
また、本発明においては、データ受信装置は、データを画像として紙などの記録担体に記録する手段を備えているため、使用者は、出先に設置されてある市中のデータ受信装置を利用することで、自由にデータを画像の記録物として取得することができる。
【００４１】
更に、本発明においては、履歴書または紹介状などの画像として記録されて使用されるべき付加データをデータと共に提供するため、提供されたデータを活用する際の利便性が向上する等、本発明は優れた効果を奏する。
【発明を実施するための最良の形態】
【００４２】
以下本発明をその実施の形態を示す図面に基づき具体的に説明する。以下では、求人のデータを提供する本発明のデータ提供システムの例について説明する。
【００４３】
図１は、本発明のデータ提供システムを示すブロック図である。職業安定所などのデータ管理センタＣに、サーバ装置であるデータ提供装置１が備えられており、データ提供装置１は、求人元の会社名および採用条件などの求人データを記憶している。この求人データは、本発明に係るデータである。データ管理センタＣ内では、入出力装置１１，１１，…がデータ提供装置１に接続されている。データ提供装置１は、インターネット等の広域の通信ネットワークＮに接続されている。また、本発明のデータ受信装置である多数の画像記録装置２，２，…が通信ネットワークＮに接続されており、画像記録装置２，２，…の夫々は、市中に存在するコンビニエンスストア、文房具店、又はスーパーマーケット等、不特定多数の商店Ｓ内に設置されている。データ提供装置１は、また、データ管理センタＣに登録されている求職者の携帯電話またはＰＤＡなどの携帯受信装置３へ情報を送信することが可能となっている。携帯受信装置３は、データ提供装置１から、求人データの概要を示す概要情報、及び求人データの識別情報を受信する。携帯受信装置３は、受信した識別情報を２次元バーコードとして表示する液晶パネル等の表示部を備え、また、画像記録装置２は、２次元バーコードを読み取るバーコードリーダ２１０を備えている。概要情報および識別情報を携帯受信装置３にて受信した求職者は、最寄りの商店Ｓに設置されている画像記録装置２に、２次元バーコードの識別情報を読み取らせる。識別情報を読み取った画像記録装置２は、識別情報で識別できる求人データの送信をデータ提供装置１に要求し、通信ネットワークＮを介して求人データをデータ提供装置１から受信する。画像記録装置２は、受信した求人データを画像として記録し、求職者は、求人元の会社名および採用条件などの求人データを画像の記録物として取得することができる。
【００４４】
図２は、本発明のデータ提供装置１の機能構成を示す機能ブロック図である。データ提供装置１は、サーバ装置を用いてなり、演算を行うＣＰＵ１０１と、演算に伴って発生する一時的な情報を記憶するＲＡＭ１０２と、ＣＤ−ＲＯＭドライブ等の外部記憶装置１０３と、ハードディスク等の内部記憶装置１０４とを備えている。ＣＰＵ１０１は、ＣＤ−ＲＯＭ等の記録媒体１０からコンピュータプログラム１００を外部記憶装置１０３にて読み取り、読み取ったコンピュータプログラム１００を内部記憶装置１０４に記憶し、ＲＡＭ１０２にコンピュータプログラム１００をロードし、ロードしたコンピュータプログラム１００に基づいてデータ提供装置１に必要な処理を実行する。データ提供装置１は、データ管理センタＣ外の広域の通信ネットワークＮに接続された通信部１０５を備えており、通信部１０５は、通信ネットワークＮを介して外部と情報を交換する。また、データ提供装置１は、データ管理センタＣ内に設けられた入出力装置１１，１１，…が接続されたＬＡＮインタフェース１０６を備えている。入出力装置１１は、パーソナルコンピュータ又は端末装置などのコンピュータを用いてなり、求職者は、入出力装置１１を用いて、求人データの検索および閲覧を行うことができる。また、データ管理センタＣの管理者は、入出力装置１１を用いて求人データの入力および更新などを行うことができる。
【００４５】
内部記憶装置１０４は、求職者に対して提供すべき求人データを記憶している求人データベースＤＢ１、及び求人データを提供する先の求職者に係るユーザ登録情報を記憶しているユーザデータベースＤＢ２を備え、更に、求人データに付加して提供すべき付加データを記憶している。図３は、求人データの内容の例を示す概念図である。個々の求人データを区別するためのデータ管理番号が記録され、会社名、連絡先、及び担当などの求人元に係る情報が記録されている。更に、勤務地、職務の内容、応募資格、及び募集人数などの求人の条件が記録されている。これらの内容が記録された求人データが、求人の数だけ求人データベースＤＢ１に記憶されている。求人データは、求人数の変更、求人の完了、及び新たな求人の追加などの状況により、必要に応じて内容の更新、消去および追加が随時行われる。
【００４６】
図４は、ユーザ登録情報の内容の例を示す概念図である。ユーザとして登録してある求職者を区別するユーザ登録番号が記録され、求職者の携帯受信装置３へ求人データの概要情報を送信するための連絡先として、携帯受信装置３の電子メールアドレスが記録されている。更に、求職者に提供すべき求人データを関連づけるための条件として、勤務先、職務の内容、及び休日など、求人データの内容に対する条件が記録されている。ユーザ登録情報は、ユーザとして登録された求職者の数だけユーザデータベースＤＢ２に記憶されている。
【００４７】
付加データは、求職者が求人データを使用する際に、求人データと共に使用すべき追加のデータである。付加データは、例えば、求人データの内容に従って応募を行う際に必要となる、求人元用の履歴書である。付加データが画像記録装置２にて出力されることで、求職者の個人情報を記入すれば完成する履歴書が得られる。付加データは、その他の例として、求人元に対するデータ管理センタＣからの紹介状などであってもよい。
【００４８】
図５は、本発明のデータ受信装置である画像記録装置２の内部の機能構成を示す機能ブロック図である。画像記録装置２は、演算を行うＣＰＵ及び演算に伴う一時的な情報を記憶するＲＡＭ等からなる制御部２０１を備えている。制御部２０１には、画像記録装置２の制御を行うための制御プログラムを記憶しているＲＯＭ２０５が接続されており、制御部２０１は、ＲＯＭ２０５が記憶している制御プログラムに従って、画像記録装置２全体の制御を行う。また、制御部２０１には、画像記録装置２が行う処理を管理するための管理情報を記憶するメモリである管理部２０４が接続されており、制御部２０１は、管理部２０４が記憶している管理情報を参照し、参照した情報に基づいて画像記録装置２の制御を行う。また、制御部２０１には、用紙に記録された画像を走査して読み取り、読みとった画像に基づいた電子的な画像データを生成する画像読み取り部２０７と、画像データを一時的に記憶する画像メモリ２０８と、画像データから画像を形成し、形成した画像を記録用紙に記録して出力する画像形成部２０９とが接続されている。画像記録装置２は、画像読み取り部２０７にて画像を読み取って画像データを生成し、生成した画像データを画像メモリ２０８に記憶し、記憶した画像データから画像形成部２０９にて画像を形成して出力し、読みとった画像を複写することができる。また、制御部２０１には、ハードディスク又は不揮発性のメモリからなる記憶部２０６が接続されている。記憶部２０６は、画像記録装置２が処理する画像データを記憶する。
【００４９】
また、画像記録装置２は、使用者からの操作を受け付ける操作部２０２と、２次元バーコードを読み取ることができるバーコードリーダ２１０と、使用者から金銭を受け付ける金銭受付部２１１とを備えており、夫々が制御部２０１に接続されている。操作部２０２は、操作のために必要な情報を表示する液晶パネル等の表示手段と、使用者の操作により制御命令などの情報が入力されるタッチパネル又はテンキー等の入力手段とからなっている。また、バーコードリーダ２１０は、使用者が紙に印刷するなどした２次元バーコードをバーコードリーダ２１０にかざしたときに、２次元バーコードを読み取り、その意味を解読することができる。また、金銭受付部２１１は、貨幣またはプリペイドカード等を受け付ける装置であり、制御部２０１は、画像の記録に対して、金銭受付部２１１が受け付けた貨幣またはプリペイドカード等の金銭価値を減算して、課金の処理を行う。
【００５０】
更に、制御部２０１には、商店Ｓ外の広域の通信ネットワークＮに接続された通信部２０３が接続されている。通信部２０３は、通信ネットワークＮを介して、外部との間で情報を交換する。通信部２０３は、データ提供装置１から送信された求人データを通信ネットワークＮを介して受信し、画像形成部２０８は、通信部２０３が受信した求人データから画像を形成して出力することができる。
【００５１】
図６は、本発明に係る携帯受信装置３の内部の機能構成を示す機能ブロック図である。携帯受信装置３は、演算を行うＣＰＵ３１と、演算に伴って発生する一時的な情報を記憶するＲＡＭ３２と、制御プログラムを記憶しているＲＯＭ３３とを備え、ＣＰＵ３１は、ＲＯＭ３３が記憶している制御プログラムに従って携帯受信装置３を制御する。ＣＰＵ３１には、無線にて外部との通信を行う通信部３５と、データを記憶するデータメモリ３７とが接続されている。携帯受信装置３は、通信部３５にて外部との間でデータを送受信し、電子メールなどの受信したデータをデータメモリ３７に記憶する。また、ＣＰＵ３１には、情報を表示する液晶ディスプレイ等の表示部３４と、使用者からの操作を受け付けるテンキー又はタッチパネル等の操作部３６とが接続されている。
【００５２】
次に、フローチャートを用いて本発明のデータ提供システムが行う処理を説明する。図７は、データ提供装置１から携帯受信装置３へ、求人データの概要を示す概要情報を送信する処理の手順を示すフローチャートである。データ管理センタＣの職員が入出力装置１１を操作することにより、データ提供装置１は、入出力装置１１から新しい求人データの入力を受け付け、求人データベースＤＢ１に記憶する（Ｓ１１）。ＣＰＵ１０１は、コンピュータプログラム１００をＲＡＭ１０２にロードし、ロードしたコンピュータプログラム１００に従って、入力を受け付けた求人データの内容と、ユーザデータベースＤＢ２に記憶している各ユーザ登録情報に含まれる関連づけの条件とを比較し、関連づけの条件が適合するユーザ登録情報を求人データに対応させて、求人データを提供すべき求職者の携帯受信装置３を求人データに関連づける（Ｓ１２）。このとき、条件に適合する複数の携帯受信装置３が求人データに関連づけられる。ＣＰＵ１０１は、次に、ＲＡＭ１０２にロードしたコンピュータプログラムに従って、入力を受け付けた求人データの内容の一部を抽出して、求人データの概要を示す概要情報を作成し（Ｓ１３）、データ提供装置１を示す情報およびデータ管理番号などから、求人データを識別する識別情報を、２次元バーコードの画像データの形式で作成する（Ｓ１４）。ＣＰＵ１０１は、次に、ＲＡＭ１０２にロードしたコンピュータプログラムに従って、２次元バーコードの画像データである識別情報を添付した概要情報を、求人データに関連づけた複数の携帯受信装置３，３，…へ、電子メールで通信部１０５から通信ネットワークＮを介して送信する（Ｓ１５）。ＣＰＵ１０１は、次に、ＲＡＭ１０２にロードしたコンピュータプログラムに従って、入力を受け付けた全ての求人データについて概要情報を送信したか否かを判定し（Ｓ１６）、概要情報を送信していない求人データがある場合は（Ｓ１６：ＮＯ）、処理をステップＳ１２へ戻す。入力を受け付けた全ての求人データについて概要情報を送信している場合は（Ｓ１６：ＹＥＳ）、ＣＰＵ１０１は、処理を終了する。
【００５３】
以上の説明では、データ提供装置１は、求人データが入力される都度、識別情報を送信する処理を行う方法を用いているが、所定の時刻になる都度、それまでに入力された求人データについて識別情報を送信する処理を行う方法を用いてもよい。また、求人データに関連づけた携帯受信装置３の情報、作成した概要情報および識別情報を含む情報を、求人データに関連づけて内部記憶装置１０４に記憶しておき、記憶した情報に基づいて概要情報を送信する処理を用いてもよい。
【００５４】
携帯受信装置３は、通信ネットワークＮを介してデータ提供装置１から送信された電子メールの概要情報を受信する（Ｓ１７）。このとき、携帯受信装置３が、電子メールに添付された画像データを直接に受信することができる構成である場合は、携帯受信装置３は、２次元バーコードの画像データである識別情報を添付した概要情報を直接に受信する。また、携帯受信装置３が、電子メールに添付された画像データを直接に受信することができない構成である場合は、携帯受信装置３は、添付された識別情報が削除された電子メールの概要情報を受信する。この場合、通信ネットワークＮ上で、電子メールの概要情報から、添付された識別情報が削除され、削除された識別情報は通信ネットワークＮ上のサーバ装置に記憶され、電子メールの概要情報には、識別情報をダウンロードするために必要な識別情報へのリンクの情報が付加される。携帯受信装置３のＣＰＵ３１は、受信した電子メールの概要情報を、データメモリ３７に記憶し（Ｓ１８）、処理を終了する。
【００５５】
図８は、携帯受信装置３が識別情報を出力する処理の手順を示すフローチャートである。図中には、携帯受信装置３が電子メールに添付された画像データを直接に受信することができる構成である場合に携帯受信装置３が行う処理を示している。携帯受信装置３は、求職者が操作部３６を操作することにより、表示すべき概要情報の指定など、概要情報を表示するために必要な表示操作を操作部３６にて受け付け（Ｓ２１）、ＣＰＵ３１は、データメモリ３７に記憶している電子メールの概要情報の内容を表示部３４に表示する（Ｓ２２）。図９は、携帯受信装置３の表示例を示す模式図である。表示部３４は、図９（ａ）に示す如く、求人元の会社名、勤務地、及び職務の内容といった求人データの概要を表示し、また、識別情報である添付画像を表示することができることを表示している。求職者は、表示された概要情報を閲覧し、求人データを取り寄せるかどうかを判断する。ＣＰＵ３１は、表示画面上で求職者が添付画像を指定する等の、識別情報を表示するための操作の受け付けを監視し（Ｓ２３）、識別情報を表示するための操作を操作部３６にて受け付けた場合は（Ｓ２３：ＹＥＳ）、図９（ｂ）に示す如く、２次元バーコードとして識別情報を表示部３４に表示する（Ｓ２４）。識別情報を表示するための操作を受け付けなかった場合（Ｓ２３：ＮＯ）、及びステップＳ２４が終了した場合は、ＣＰＵ３１は、他の概要情報を表示するために必要な表示操作の受け付けを監視し（Ｓ２５）、他の概要情報を表示するために必要な表示操作を操作部３６にて受け付けた場合は（Ｓ２５：ＹＥＳ）、処理をステップＳ２２へ戻して次の概要情報を表示部３４に表示する。他の概要情報を表示するための表示操作を受け付けなかった場合は（Ｓ２５：ＮＯ）、ＣＰＵ３１は、処理を終了する。
【００５６】
図１０は、携帯受信装置３が識別情報を出力する処理の手順の他の例を示すフローチャートである。図中には、携帯受信装置３が電子メールに添付された画像データを直接に受信することができない構成である場合に携帯受信装置３が行う処理を示している。携帯受信装置３は、概要情報を表示するために必要な表示操作を操作部３６にて受け付け（Ｓ３１）、ＣＰＵ３１は、概要情報の内容を表示部３４に表示する（Ｓ３２）。この場合の表示例を、図９（ｃ）に示す。表示部３４は、求人データの概要を表示し、更に、元々電子メールに添付されていた識別情報のリンクを表示している。ＣＰＵ３１は、表示画面上で求職者がリンクを指定する等の、識別情報の要求の操作の受け付けを監視し（Ｓ３３）、識別情報の要求の操作を操作部３６にて受け付けた場合は（Ｓ３３：ＹＥＳ）、通信ネットワークＮ上のサーバ装置に記憶されている識別情報をダウンロードし（Ｓ３４）、ダウンロードした識別情報を２次元バーコードとして表示部３４に表示する（Ｓ３５）。識別情報の要求の操作を受け付けなかった場合（Ｓ３３：ＮＯ）、及びステップＳ３５が終了した場合は、ＣＰＵ３１は、他の概要情報を表示するために必要な表示操作の受け付けを監視し（Ｓ３６）、他の概要情報を表示するために必要な表示操作を操作部３６にて受け付けた場合は（Ｓ３６：ＹＥＳ）、処理をステップＳ３２へ戻して次の概要情報を表示部３４に表示する。他の概要情報を表示するための表示操作を受け付けなかった場合は（Ｓ３６：ＮＯ）、ＣＰＵ３１は、処理を終了する。
【００５７】
求職者が、最寄りの商店Ｓにて、識別情報を携帯受信装置３に表示させ、携帯受信装置３の表示部３４に表示された２次元バーコードを、商店Ｓに設置されたが画像記録装置２のバーコードリーダ２１０に読み取らせることで、識別情報が携帯受信装置３から画像記録装置２へ伝達される。
【００５８】
図１１は、データ提供装置１から画像記録装置２へ求人データを提供する処理の手順を示すフローチャートである。携帯受信装置３の表示部３４に表示された２次元バーコードをバーコードリーダ２１０にて読み取って解読することで、画像記録装置２は、求人データの識別情報を受け付け（Ｓ４０１）、制御部２０１は、受け付けた識別情報に係る求人データの要求を通信部２０３からデータ提供装置１へ送信する（Ｓ４０２）。データ提供装置１は、画像記録装置２からの求人データの要求を通信部１０５にて受信し（Ｓ４０３）、ＣＰＵ１０１は、ＲＡＭ１０２にロードしたコンピュータプログラム１００に従って、要求された求人データを求人データベースＤＢ１内から検索する（Ｓ４０４）。ＣＰＵ１０１は、ＲＡＭ１０２にロードしたコンピュータプログラム１００に従って、検索した求人データが、求人が継続されている状態で求人データベースＢＤ１内に記憶されている有効な状態であるか否かを判定する（Ｓ４０５）。求人データを使用できる期限が切れている、求人データが求人データベースＢＤ１から消去されている、又は求人データに係る求人が完了している等、検索した求人データが有効な状態でない場合は（Ｓ４０５：ＮＯ）、ＣＰＵ１０１は、ＲＡＭ１０２にロードしたコンピュータプログラム１００に従って、求人データが無効であることの通知を、画像記録装置２へ通信部１０５から送信する（Ｓ４０６）。画像記録装置１は、求人データが無効であることの通知を通信部２０３にて受信し（Ｓ４０７）、制御部２０１は、要求した求人データが無効であることの通知を、操作部２０２の表示手段に出力し（Ｓ４０８）、処理を終了する。なお、無効の通知は、画像形成部２０９にて画像として記録することで出力する処理を用いてもよい。
【００５９】
ステップＳ４０５で検索した求人データが有効であった場合は（Ｓ４０５：ＹＥＳ）、ＣＰＵ１０１は、ＲＡＭ１０２にロードしたコンピュータプログラム１００に従って、要求された求人データ、及び求人データに係る付加データを、画像記録装置２へ通信部１０５から送信する（Ｓ４０９）。画像記録装置２は、データ提供装置１から送信された求人データ及び付加データを通信部２０３にて受信し（Ｓ４１０）、制御部２０１は、求人データ及び付加データを受信したことを操作部２０２の表示手段に表示して、受信した求人データ及び付加データの出力の確認の受け付けを操作部２０２にて監視する（Ｓ４１１）。出力の確認を操作部２０２にて受け付けた場合は（Ｓ４１１：ＹＥＳ）、データ量などに応じた課金の処理を行い（Ｓ４１２）、受信した求人データ、及び履歴書などの付加データを、画像形成部２０９にて画像として記録し（Ｓ４１３）、処理を終了する。この様にして、求職者は、求人データと、履歴書などの付加データを、画像として記録された形で得ることができる。ステップＳ４１１にて出力の確認を操作部２０２にて受け付けなかった場合は（Ｓ４１１：ＮＯ）、処理を終了する。
【００６０】
以上詳述した如く、本発明のデータ提供システムにおいては、データ提供装置１は、記憶する求人データに携帯受信装置３を関連づけておき、関連づけられた携帯受信装置３へ求人データの概要情報を送信し、画像記録装置２から求人データの要求を受け付けて、要求された求人データを画像記録装置２へ送信する。使用者が使用している携帯受信装置３へデータの概要情報が送信されるため、使用者は、時間の経過に伴って内容が変化するデータの状態を常に把握することができ、出先に設置されてある市中の画像記録装置２を利用することで、自由にデータを画像の記録物として取得することができる。また、携帯受信装置３へ送信される情報は概要情報であって、データの本体は画像記録装置２へ送信されるため、携帯受信装置３に通信の負担を掛けることがない。
【００６１】
また、本発明においては、データ提供装置１は、概要情報に対応して求人データの識別情報を携帯受信装置３へ送信し、携帯受信装置３は、特定の概要情報について識別情報を画像記録装置２へ伝達し、画像記録装置２は、識別情報に係る求人データを要求する。使用者は、概要情報を閲覧し、必要なデータのみを選択して要求することができるため、効率的にデータを使用することができる。また、本発明においては、携帯受信装置３が表示した２次元バーコードを画像記録装置２が読み取ることで、携帯受信装置３から画像記録装置２へ識別情報を伝達するため、携帯受信装置３と画像記録装置２とを接続する方法などに比べて、容易に識別情報を伝達することができる。
【００６２】
また、本発明においては、一のデータに複数の携帯受信装置３を関連づけることが可能であるため、求人データ、又は商品の在庫状況のデータ等、複数の者が参照して有効利用すべきデータを、複数の者が共同で使用することができる。また、本発明においては、携帯受信装置３について関連づけられるデータの条件を登録しておき、条件に合うデータについて概要情報が携帯受信装置３へ送信されるため、使用者は、不必要な情報を最初から排除して有用なデータについてのみ概要情報を受け取ることが可能となり、効率的にデータの利用が行われる。
【００６３】
また、本発明のデータ提供装置１は、情報を入出力する複数の入出力装置１１を備えているため、データ管理センタＣ内での求人データの閲覧が可能となり、また、必要に応じた求人データの更新が可能となる。また、本発明においては、データ提供装置１に対して通信ネットワークＮを介して複数の画像記録装置２が接続されているため、使用者が利用できる画像記録装置２の数が多く、最寄りの画像記録装置２を利用することで使用者がデータを使用できる場所が限定されず、データを使用する際の利便性が向上する。更に、本発明においては、履歴書または紹介状などの画像として記録されて使用されるべき付加データをデータと共に提供するため、提供されたデータを活用する際の利便性が向上する。
【００６４】
なお、本実施の形態においては、識別情報を２次元バーコードとして携帯受信装置３の表示部３４に表示し、表示した２次元バーコードを画像記録装置２のバーコードリーダ２１０に読み取らせることで、識別情報を携帯受信装置３から画像記録装置２へ伝達する方法を用いたが、他の方法を用いて識別情報を伝達する形態であってもよい。例えば、携帯受信装置３が、２次元バーコードを印刷するプリンタを備え、印刷された２次元バーコードを画像記録装置２のバーコードリーダ２１０に読み取らせる方法を用いてもよい。また、２次元バーコードを用いるのではなく、識別情報を携帯受信装置３から画像記録装置２へ送信する方法を用いてもよい。この場合は、無線または赤外線通信を用いて、携帯受信装置３から画像記録装置２へ識別情報を送信してもよい。また、画像記録装置２にクレイドル等の携帯受信装置３を装着するインタフェースを備え、携帯受信装置３を装着して識別情報を送信する方法を用いてもよく、また、携帯受信装置３と画像記録装置２とを互いにケーブルで接続して識別情報を送信する方法を用いてもよい。
【００６５】
また、本実施の形態においては、データ提供装置１は識別情報を概要情報に添付して携帯受信装置３へ送信する処理を用いたが、これに限るものではなく、データ提供装置１は概要情報のみを携帯受信装置３へ送信し、携帯受信装置３は、受信した概要情報の中から特定の概要情報について識別情報の要求をデータ提供装置１へ送信し、データ提供装置１は、要求された識別情報を改めて携帯受信装置３へ送信する処理を用いてもよい。
【００６６】
また、本実施の形態においては、画像記録装置２がデータの送信の要求をデータ提供装置１へ送信し、データ提供装置１は要求の送信元の画像記録装置２へデータを送信する処理を用いたが、これに限るものではない。携帯受信装置３は、画像記録装置２に貼られたバーコードを読み取る等して、画像記録装置２を識別する情報を受け付け、更に、受け付けた情報で識別される画像記録装置２へデータを送信することの要求をデータ提供装置１へ送信し、データ提供装置１は、受信した要求に係る画像記録装置２へデータを送信する処理を用いてもよい。
【００６７】
また、本実施の形態においては、本発明のデータ受信装置は画像記録装置２であるとしたが、これに限るものではなく、パーソナルコンピュータ等、その他の装置であってもよい。
【００６８】
また、本実施の形態においては、本発明のデータ提供システムが提供するデータは、求人データであるとしたが、その他の様々なデータについても本発明を利用することができる。例えば、データ管理センタＣは結婚紹介所であるとし、異性の登録者に関するデータを条件の合う登録者へ提供するシステムに、本発明を適用することが可能である。また、提供するデータを、中古車などの商品の在庫情報とし、時価または在庫数などの在庫情報を、希望車種などを条件として登録してあるユーザへ提供するシステムに、本発明を適用することも可能である。
【図面の簡単な説明】
【００６９】
【図１】本発明のデータ提供システムを示すブロック図である。
【図２】本発明のデータ提供装置の機能構成を示す機能ブロック図である。
【図３】求人データの内容の例を示す概念図である。
【図４】ユーザ登録情報の内容の例を示す概念図である。
【図５】本発明のデータ受信装置である画像記録装置の内部の機能構成を示す機能ブロック図である。
【図６】本発明に係る携帯受信装置の内部の機能構成を示す機能ブロック図である。
【図７】データ提供装置から携帯受信装置へ、求人データの概要を示す概要情報を送信する処理の手順を示すフローチャートである。
【図８】携帯受信装置が識別情報を出力する処理の手順を示すフローチャートである。
【図９】携帯受信装置の表示例を示す模式図である。
【図１０】携帯受信装置が識別情報を出力する処理の手順の他の例を示すフローチャートである。
【図１１】データ提供装置から画像記録装置へ求人データを提供する処理の手順を示すフローチャートである。
【符号の説明】
【００７０】
１  データ提供装置
１０１  ＣＰＵ
１０４  内部記憶装置
１０５  通信部
１０  記録媒体
１１  入出力装置
１００  コンピュータプログラム
２  画像記録装置（データ受信装置）
２０１  制御部
２０２  操作部
２０９  画像形成部
２１０  バーコードリーダ
３  携帯受信装置
３１  ＣＰＵ
３４  表示部
ＤＢ１  求人データベース
ＤＢ２  ユーザデータベース
Ｎ  通信ネットワーク
【図１】
2005085050.tif 000003
【図２】
2005085050.tif 000004
【図３】
2005085050.tif 000005
【図４】
2005085050.tif 000006
【図５】
2005085050.tif 000007
【図６】
2005085050.tif 000008
【図７】
2005085050.tif 000009
【図８】
2005085050.tif 000010
【図９】
2005085050.tif 000011
【図１０】
2005085050.tif 000012
【図１１】
2005085050.tif 000013